(57)【要約】【課題】部品の削減やコストダウン及び組立てと操作がしやすい空気調節機の水システムの垢除去装置を提供する。【解決手段】互いに連通する気水混合ユニットと気体入力管と液体入力管を有する入力ユニットと出力ユニットとが含有される混合機構と、気体入力管に連接される給気機構と、出力ユニットと液体入力管が連接される貯水機構と、含有される。【選択図】図1
0003128442.tif 000002
【実用新案登録請求の範囲】
【請求項１】
気水混合ユニットが含有され、当該気水混合ユニットに、それぞれ、入力ユニットと出力ユニットが連通され、当該入力ユニットに気体入力管と液体入力管がある混合機構と、
上記混合機構に設けられた入力ユニットの気体入力管に連接される給気機構と、
上記混合機構に設けられた出力ユニットと入力ユニットの液体入力管に連接される貯水機構と、
が含有される、
ことを特徴とする空気調節機の水システムの垢除去装置。
【請求項２】
当該気水混合ユニットに、少なくとも、アクチュエータとアクチュエータに連接されるインペラが含有されることを特徴とする請求項１に記載の空気調節機の水システムの垢除去装置。
【請求項３】
当該気体入力管に気体インダクタがあることを特徴とする請求項１に記載の空気調節機の水システムの垢除去装置。
【考案の詳細な説明】
【技術分野】
【０００１】
本考案は、空気調節機の水システムの垢除去装置に関し、特に、部品の削減やコストダウン及び組立てと操作がしやすい効果が得られるものに関する。
【背景技術】
【０００２】
一般に、従来の空気調節機の水システム垢除去装置は、図４のように、気体入力管５１と液体入力管５２及び液体出力管５３を有する混合機５と、気体入力管５１に連接され、調節器６１を介して酸素瓶６２に連接されるオゾン発生器６と、液体入力管５２に連接される第１のポンプ７０と、液体出力管５３と第１のポンプ７０に連接される貯水池８と、貯水池８に連接され、出水管７２がある第２のポンプ７１と、出水管７２に連接され、パルス発生器９とが含有される。これにより、空気調節機の水システムの垢除去装置が構成され、オゾン発生器６と酸素瓶６２により、気体入力管５１を介して混合機５に対してオゾンを供給し、また、同時に、第１のポンプ７０により、貯水池８の水を、液体入力管５２を介して混合機５に供給し、そして、混合機５により、オゾンと水を、オゾン水に混合してから、液体出力管５３により、当該オゾン水を、貯水池８に送り、そして、第２のポンプ７１により、当該オゾン水を、パルス発生器９に合わせて出水管７２から出力し、そのため、オゾン水で、空気調節機の水システムに対して垢除去できる。
【０００３】
しかしながら、上記の空気調節機の水システム垢除去装置は、オゾンで垢除去する効果が得られるが、構造が複雑であるため、組立ての手順や操作も複雑になり、また、オゾン水を製造する時とオゾン水を出力して使用する時、第１、２のポンプ７０、７１を利用するため、コストが高くなる。
【考案の開示】
【考案が解決しようとする課題】
【０００４】
本考案の主な目的は、部品の削減やコストダウン及び組立てと操作がしやすい効果が得られる空気調節機の水システムの垢除去装置を提供する。
【課題を解決するための手段】
【０００５】
請求項１の考案は、気水混合ユニットが含有され、当該気水混合ユニットに、それぞれ、入力ユニットと出力ユニットが連通され、当該入力ユニットに気体入力管と液体入力管がある混合機構と、上記混合機構に設けられた入力ユニットの気体入力管に連接される給気機構と、上記混合機構に設けられた出力ユニットと入力ユニットの液体入力管に連接される貯水機構と、が含有されることを特徴とする空気調節機の水システムの垢除去装置である。
【０００６】
請求項２の考案は、当該気水混合ユニットに、少なくとも、アクチュエータとアクチュエータに連接されるインペラが含有されることを特徴とする請求項１に記載の空気調節機の水システムの垢除去装置である。
【０００７】
請求項３の考案は、当該気体入力管に気体インダクタがあることを特徴とする請求項１に記載の空気調節機の水システムの垢除去装置である。
【考案を実施するための最良の形態】
【０００８】
図１と図２は、それぞれ、本考案の基本構造概念図と本考案に係わる気水混合ユニットの断面状態概念図である。図のように、本考案は、空気調節機の水システムの垢除去装置であり、少なくとも、混合機構１と給気機構２及び貯水機構３から構成され、部品の削減やコストダウン及び組立てと操作がしやすい効果が得られる。
【０００９】
上記混合機構１は、気水混合ユニット１１があり、当該気水混合ユニット１１は、少なくとも、アクチュエータ１１１とアクチュエータ１１１に連接されるインペラ１１２があり、また、当該気水混合ユニット１１に、それぞれ、入力ユニット１２と出力ユニット１３が連通され、当該入力ユニット１２に気体入力管１２１と液体入力管１２２があり、当該気体入力管１２１と液体入力管１２２に、それぞれ、気体インダクタ１２３と液体インダクタ１２４があり、また、当該出力ユニット１３にパルス発生器１３１が連接される出水管１３２が連接される。
【００１０】
当該給気機構２は、上記の混合機構１に設けられた入力ユニット１２の気体入力管１２１に連接され、少なくとも、酸素供給ユニット２１と酸素供給ユニット２１に連接されるオゾン生成ユニット２２、酸素供給ユニット２１とオゾン生成ユニット２２との間に設けられた調整ユニット２３及び気体入力管１２１に連接される出気管２４が含有される。
【００１１】
当該貯水機構３は、上記の混合機構１に設けられた出力ユニット１３と入力ユニット１２の液体入力管１２２に連接され、少なくとも、出力ユニット１３に連接される入水管３１と出力ユニット１３と入水管３１との間に設けられた圧力弁３２及び液体入力管１２２に連接される出水管３３が含有される。上記構造により、新規の空気調節機の水システムの垢除去装置が構成される。
【００１２】
図３は、本考案の使用状態概念図である。図のように、本考案を利用する時、酸素供給ユニット２１とオゾン生成ユニット２２により、必要とするオゾンを、出気管２４を介して混合機構１に設けられた入力ユニット１２の気体入力管１２１に送り、オゾンを送る時、調整ユニット２３により酸素供給ユニット２１に必要とする量に調整できる。
【００１３】
また、同時に、貯水機構３により、必要とする水を、出水管３３を介して混合機構１に設けられた入力ユニット１２の液体入力管１２２に送り、また、当該貯水機構３は外部の給水システム４を給水源とする。
【００１４】
上記のオゾンと水を、それぞれ、気体入力管１２１と液体入力管１２２を介して混合機構１に送る時、気水混合ユニット１１のアクチュエータ１１１を駆動して、当該アクチュエータ１１１に連接されるインペラ１１２が回転し、これにより、オゾンと水を、十分に、必要とする濃度を有するオゾン水に混合でき、そして、直接に、出力ユニット１３により、パルス発生器１３１を合わせてオゾン水を、出水管１３２から出力して、空気調節機の水システムに対して垢除去を行い、また、オゾン水を生成した後、当該オゾン水が、その後の使用のために、出力ユニット１３により、入水管３１を介して、そして、圧力弁３２を合わせて貯水機構３に送られて蓄蔵されてもよく、或いは、循環を繰り返すことにより、オゾン水を必要とする濃度に維持することもできる。
【００１５】
また、給気機構２と貯水機構３が、気体入力管１２１と液体入力管１２２に対してオゾンと水を供給することを停止すると、当該気体インダクタ１２３と液体インダクタ１２４による検知に基づいて気水混合ユニット１１の作動を停止して、アクチュエータ１１１がアイドルにより損害することを防止する。
【００１６】
上記説明のように、本考案に係わる空気調節機の水システムの垢除去装置は、有効的に従来の欠点を改善でき、部品の削減やコストダウン及び組立てと操作がしやすい効果が得られるため、より進歩的且つより実用的なものであり、法に従って実用新案登録請求を出願する。
【００１７】
以上は、ただ、本考案のより良い実施例であり、本考案は、それによって制限されず、本考案に係わる実用新案登録請求の範囲や明細書の内容に基づいて行う等価の変更や修正は、全てが本考案の実用新案登録請求の範囲内に含まれる。
【図面の簡単な説明】
【００１８】
【図１】本考案の基本構造概念図
【図２】本考案に係わる気水混合ユニットの断面状態概念図
【図３】本考案の使用状態概念図
【図４】従来の使用状態概念図
【符号の説明】
【００１９】
（本考案部分）
１        混合機構
１１      気水混合ユニット
１１１    アクチュエータ
１１２    インペラ
１２      入力ユニット
１２１    気体入力管
１２２    液体入力管
１２３    気体インダクタ
１２４    液体インダクタ
１３      出力ユニット
１３１    パルス発生器
１３２    出水管
２        給気機構
２１      酸素供給ユニット
２２      オゾン生成ユニット
２３      調整ユニット
２４      出気管
３        貯水機構
３１      入水管
３２      圧力弁
３３      出水管
４        給水システム
（従来部分）
５        混合機
５１      気体入力管
５２      液体入力管
５３      液体出力管
６        オゾン発生器
６１      調節器
６２      酸素瓶
７０      第１のポンプ
７１      第２のポンプ
７２      出水管
８        貯水池
９        パルス発生器
【図１】
0003128442.tif 000003
【図２】
0003128442.tif 000004
【図３】
0003128442.tif 000005
【図４】
0003128442.tif 000006